(57)【特許請求の範囲】
【請求項１】
無線伝送路を介して無線端末と接続される無線ＬＡＮアクセスポイントであって、
ＳＳＩＤを記憶する記憶手段と、
前記ＳＳＩＤに基づいて無線端末との接続を制御する接続管理手段とを備え、
前記接続管理手段は、ＳＳＩＤを変更するときに変更前のＳＳＩＤに基づいて接続制御を行った無線端末が存在する場合には、その無線端末との接続を維持する
ことを特徴とする無線ＬＡＮアクセスポイント。
【請求項２】
接続管理手段は、ＳＳＩＤを変更するときに、変更前のＳＳＩＤを記憶手段から削除せず、変更前のＳＳＩＤに基づいて接続制御を行った無線端末から切断要求があったときに、前記変更前のＳＳＩＤを前記記憶手段から削除する
請求項１に記載の無線ＬＡＮアクセスポイント。
【請求項３】
接続管理手段は、変更前のＳＳＩＤに基づいて接続制御を行った全ての無線端末との接続を切断したときに前記変更前のＳＳＩＤを前記記憶手段から削除する
請求項２に記載の無線ＬＡＮアクセスポイント。
【請求項４】
接続管理手段は、ＳＳＩＤを変更した後、変更前のＳＳＩＤが記憶手段に記憶されていても、新たに接続要求を行った無線端末との接続を、変更後のＳＳＩＤに基づいて制御する
請求項２または請求項３に記載の無線ＬＡＮアクセスポイント。
【請求項５】
接続管理手段は、ＳＳＩＤを変更した後、変更前のＳＳＩＤに基づく新たな接続要求を拒否する
請求項１から請求項４のいずれか１項に記載の無線ＬＡＮアクセスポイント。
【請求項６】
無線伝送路を介して無線端末に接続される無線ＬＡＮアクセスポイントにおける接続維持方法であって、
記憶手段に記憶されたＳＳＩＤに基づいて無線端末を接続した後、ＳＳＩＤを変更した後でも変更前のＳＳＩＤに基づいて接続制御を行った無線端末との接続を維持する
ことを特徴とする接続維持方法。
【請求項７】
無線伝送路を介して無線端末に接続される無線ＬＡＮアクセスポイントにおける接続維持プログラムであって、
コンピュータに、
記憶手段に記憶されたＳＳＩＤに基づいて無線端末を接続するための処理と、
ＳＳＩＤを変更した後でも変更前のＳＳＩＤに基づいて接続制御を行った無線端末との接続を維持するための処理とを
実行させるための接続維持プログラム。
【発明の詳細な説明】
【技術分野】
【０００１】
本発明は、無線伝送路を介して無線端末と接続される無線ＬＡＮアクセスポイントおよび無線端末の接続維持方法に関する。
【背景技術】
【０００２】
無線ＬＡＮアクセスポイントと無線端末は、ＳＳＩＤ（Ｓｅｒｖｉｃｅ  Ｓｅｔ  ＩＤｅｎｔｉｆｅｒ）を使用して無線接続を行う（例えば、特許文献１参照）。
【０００３】
無線ＬＡＮアクセスポイントの無線設定変更を行った場合、変更前の設定で接続されていた無線端末は設定の不一致により無線接続が断たれ、通信不能の状態になってしまう。例えば、無線ＬＡＮアクセスポイントと無線ＬＡＮを経由してインターネットアクセス中のユーザがいるケースにおいて、別のユーザなどにより無線ＬＡＮアクセスポイントの設定変更が行われると、インターネットを利用していたユーザの通信は遮断され、それ以降の作業が中断されてしまう。
【先行技術文献】
【特許文献】
【０００４】
【特許文献１】特開２０１０−１７８１７５号公報
【発明の概要】
【発明が解決しようとする課題】
【０００５】
無線ＬＡＮ利用者にとって途中で通信が遮断されてしまうことは好ましくなく、また無線ＬＡＮアクセスポイントの管理者にとっても、設定変更時に無線ＬＡＮアクセスポイントを利用中のユーザについて考慮することは手間がかかり好ましくない。
【０００６】
そこで、本発明は、無線ＬＡＮアクセスポイントのＳＳＩＤの設定変更が行われた場合に、変更前の設定内容で接続中であった無線端末との接続を維持可能にする無線ＬＡＮアクセスポイントおよび無線端末の接続維持方法を提供することを目的とする。
【課題を解決するための手段】
【０００７】
本発明による無線ＬＡＮアクセスポイントは、無線伝送路を介して無線端末と接続される無線ＬＡＮアクセスポイントであって、ＳＳＩＤを記憶する記憶手段と、ＳＳＩＤに基づいて無線端末との接続を制御する接続管理手段とを備え、接続管理手段は、ＳＳＩＤを変更するときに変更前のＳＳＩＤに基づいて接続制御を行った無線端末が存在する場合には、その無線端末との接続を維持することを特徴とする。
【０００８】
本発明による接続維持方法は、無線伝送路を介して無線端末に接続される無線ＬＡＮアクセスポイントにおける接続維持方法であって、記憶手段に記憶されたＳＳＩＤに基づいて無線端末を接続した後、ＳＳＩＤを変更した後でも変更前のＳＳＩＤに基づいて接続制御を行った無線端末との接続を維持することを特徴とする。
【０００９】
本発明による接続維持プログラムは、無線伝送路を介して無線端末に接続される無線ＬＡＮアクセスポイントにおける接続維持プログラムであって、コンピュータに、記憶手段に記憶されたＳＳＩＤに基づいて無線端末を接続するための処理と、ＳＳＩＤを変更した後でも変更前のＳＳＩＤに基づいて接続制御を行った無線端末との接続を維持するための処理とを実行させることを特徴とする。
【発明の効果】
【００１０】
本発明によれば、無線ＬＡＮアクセスポイントのＳＳＩＤの設定変更が行われた場合に、変更前の設定内容で接続中であった無線端末との接続を維持したまま、他の無線端末を変更後の設定内容で接続させることができる。
【図面の簡単な説明】
【００１１】
【図１】本発明の無線ＬＡＮアクセスポイントの第１の実施形態を示すブロック図である。
【図２】本発明の第１の実施形態の動作の一例を示す説明図である。
【図３】本発明の第１の実施形態の動作を示すシーケンス図である。
【図４】本発明を適用しない場合の無線ＬＡＮアクセスポイント１００の動作の一例を示すシーケンス図である。
【図５】無線ＬＡＮアクセスポイント１００の設定変更時の接続管理部１１２の動作を示すフローチャートである。
【図６】マルチＳＳＩＤ機能で動作中に接続要求があった場合の接続管理部１１２の動作を示すフローチャートである。
【図７】接続管理部１１２が旧設定ＳＳＩＤを削除する場合の動作を示すフローチャートである。
【図８】本発明の主要部を示すブロック図である。
【発明を実施するための形態】
【００１２】
実施形態１．
以下、本発明の第１の実施形態を図面を参照して説明する。
【００１３】
図１は、本発明の無線ＬＡＮアクセスポイントの第１の実施形態を示すブロック図である。無線伝送路を介して無線ＬＡＮ子機３００に接続される無線ＬＡＮアクセスポイント１００は、無線ＬＡＮインタフェース１１０を備える。
【００１４】
無線ＬＡＮインタフェース１１０は、接続設定登録部１１１と、接続管理部１１２とを備える。無線ＬＡＮインタフェース１１０は、マルチＳＳＩＤ機能を有する。マルチＳＳＩＤ機能とは、無線ＬＡＮアクセスポイントにＳＳＩＤを複数割り当て、それぞれのＳＳＩＤに対して無線端末から同時にアクセスが行なえる機能である。
【００１５】
接続設定登録部１１１は、１つまたは複数の接続設定情報を記憶する。接続設定情報は、ＳＳＩＤと、ＳＳＩＤに付随する暗号方式および暗号キーの情報とを含む。
【００１６】
接続管理部１１２は、無線ＬＡＮアクセスポイント１００と接続中の無線端末の状態を管理する。また、接続管理部１１２は、ＳＳＩＤの変更要求があった場合は、接続設定登録部１１１に対して接続設定情報を追加したり、接続設定登録部１１１に記憶されている接続設定情報を削除したりする。ＳＳＩＤの変更要求は、例えば、無線ＬＡＮアクセスポイント１００に接続された管理用端末を介して無線ＬＡＮアクセスポイント１００の管理者によって行われる。なお、接続管理部１１２は、プログラムに従って動作するマイクロコンピュータ等で実現可能である。
【００１７】
無線ＬＡＮ子機３００は、無線端末である。無線ＬＡＮ子機３００は、接続設定登録部１１１に記憶された接続設定情報に対応する情報に基づいて、無線ＬＡＮアクセスポイント１００と無線ＬＡＮ接続されている。
【００１８】
次に、図２および図３を参照して本実施形態の動作について説明する。
【００１９】
図２は、本発明の第１の実施形態の動作の一例を示す説明図である。状態（ａ）は、無線ＬＡＮアクセスポイント１００の初期状態を示す。状態（ａ）では、無線ＬＡＮアクセスポイント１００は、接続設定登録部１１１に記憶されている接続設定情報４０１のＳＳＩＤ「Ａ」を使用して無線ＬＡＮ子機３００と通信を行い、通信ネットワーク２００を介してインターネットアクセスなどを実行する。状態（ｂ）は、図２に示すように、状態（ａ）から無線ＬＡＮアクセスポイントの管理者などによってＳＳＩＤと暗号方式の変更要求がされた後の状態である。状態（ｂ）では、無線ＬＡＮアクセスポイント１００は、接続設定情報４０１のＳＳＩＤ「Ａ」を使用して無線ＬＡＮ子機３００との通信を継続しながら、新しく生成された接続設定情報４０２のＳＳＩＤ「Ｂ」を使用して新たに無線ＬＡＮ子機３０１との通信を行う。
【００２０】
図３を参照して、状態（ａ）から無線ＬＡＮアクセスポイント１００の無線設定の変更が行われ、状態（ｂ）に移行するケースについて説明する。
【００２１】
図３は、本発明の第１の実施形態の動作を示すシーケンス図である。無線ＬＡＮ子機３００には、無線ＬＡＮアクセスポイント１００のＳＳＩＤ「Ａ」に接続する無線設定が行われている。そして、無線ＬＡＮ子機３００は、無線ＬＡＮアクセスポイント１００に帰属中の状態である（ステップＳ３０２）。
【００２２】
その状態で、無線ＬＡＮアクセスポイント１００がＳＳＩＤの設定変更要求を受けると（ステップＳ３０３）、無線ＬＡＮアクセスポイント１００は、ＳＳＩＤ「Ａ」に無線ＬＡＮ子機３００が帰属中であるため、ＳＳＩＤ「Ａ」を含む接続設定情報４０１を削除しない。そして、マルチＳＳＩＤ機能により、接続設定情報４０１を残したまま、ＳＳＩＤ「Ｂ」を含む接続設定情報４０２を作成する（ステップＳ３０４）。
【００２３】
その後、２つのＳＳＩＤが同時動作するようになる。なお、「ＳＳＩＤが同時動作する」とは、一方のＳＳＩＤに基づいて通信を行うことが可能であるとともに、他方のＳＳＩＤに基づいて通信を行うことが可能であるということである。接続設定情報４０１は削除されていないので、無線ＬＡＮ子機３００は引き続き通信可能である。また、無線ＬＡＮアクセスポイント１００のＳＳＩＤ「Ｂ」に接続する無線設定が行われている無線ＬＡＮ子機３０１も、無線ＬＡＮアクセスポイント１００と通信可能である（ステップＳ３０６）。
【００２４】
無線ＬＡＮ子機３００の通信が終了し、無線ＬＡＮ子機３００から切断要求が送られてきたときに（ステップＳ３０７）、無線ＬＡＮアクセスポイント１００はＳＳＩＤ「Ａ」を含む接続設定情報４０１を削除する（ステップＳ３０８）。
【００２５】
ここで、図４を参照して、本発明を適用しなかった場合の動作について説明する。
【００２６】
図４は、本発明を適用しない場合の無線ＬＡＮアクセスポイント１００の動作の一例を示すシーケンス図である。図４に示すように、ステップＳ４０３において無線ＬＡＮアクセスポイント１００の設定変更が行われた直後にＳＳＩＤ「Ａ」を含む接続設定情報４０１が削除されてしまうため（ステップＳ４０４）、無線ＬＡＮ子機３００の通信が強制的に切断されてしまう（ステップＳ４０５）。なお、ステップＳ４０１、Ｓ４０２の処理は、図３に示されたステップＳ３０１、Ｓ３０２の処理と同様の処理であり、ステップＳ４０６、Ｓ４０７、Ｓ４０８の処理は、図３に示されたステップＳ３０４、Ｓ３０５、Ｓ３０６の処理と同様の処理である。
【００２７】
次に、図５を参照して、無線ＬＡＮアクセスポイント１００の設定変更が行われるときの接続管理部１１２の動作について説明する。
【００２８】
図５は、無線ＬＡＮアクセスポイント１００の設定変更時の接続管理部１１２の動作を示すフローチャートである。
【００２９】
無線ＬＡＮアクセスポイント１００が動作中であるときに、無線ＬＡＮアクセスポイント１００の設定変更が行われると（ステップＳ５０１）、接続管理１１２は設定変更の対象となるＳＳＩＤ（以下、旧設定ＳＳＩＤと称する。）に帰属している無線ＬＡＮ子機が存在するか否かを確認する（ステップＳ５０２）。帰属中の無線ＬＡＮ子機が存在しない場合は（ステップＳ５０２のＮｏ）、旧設定ＳＳＩＤを含む接続設定情報を接続設定登録部１１１から削除し、設定変更後の新しいＳＳＩＤ（以下、新設定ＳＳＩＤと称する。）を含む接続設定情報を作成し、接続設定登録部１１１に記憶する（ステップＳ５０３）。帰属中の無線ＬＡＮ子機が存在する場合は（ステップＳ５０２のＹｅｓ）、新設定ＳＳＩＤを含む接続設定情報を作成し、旧設定ＳＳＩＤを含む接続設定情報を削除せずに、マルチＳＳＩＤ機能を使用して旧設定ＳＳＩＤと新設定ＳＳＩＤとを同時動作させる（ステップＳ５０４）。
【００３０】
次に、図６を参照して、ステップＳ５０４において旧設定ＳＳＩＤと新設定ＳＳＩＤを同時動作させているときに、無線ＬＡＮアクセスポイント１００に対して無線ＬＡＮ子機３０１から接続要求がされた場合の接続管理部１１２の動作について説明する。
【００３１】
図６は、マルチＳＳＩＤ機能で動作中に接続要求があった場合の接続管理部１１２の動作を示すフローチャートである。
【００３２】
接続管理部１１２は、無線ＬＡＮ子機３００以外の無線ＬＡＮ子機である無線ＬＡＮ子機３０１から接続要求があったときに、無線ＬＡＮアクセスポイント１００の新設定ＳＳＩＤに対する接続要求であるか否かを確認する（ステップＳ６０１）。無線ＬＡＮアクセスポイント１００の新設定ＳＳＩＤに対する接続要求であった場合は（ステップＳ６０１のＹｅｓ）、接続管理部１１２は接続要求を受け付けて無線ＬＡＮ子機３０１の新設定ＳＳＩＤに対する接続を許容する（ステップＳ６０２）。また、旧設定ＳＳＩＤに対する接続要求であった場合は（ステップＳ６０１のＮｏ）、接続管理部１１２は接続要求を拒否し、無線ＬＡＮ子機３０１の旧設定ＳＳＩＤに対する接続をさせないようにする（ステップＳ６０３）。
【００３３】
次に、図７を参照して、ステップＳ５０４において旧設定ＳＳＩＤと新設定ＳＳＩＤを同時動作させているときに、接続管理部１１２が旧設定ＳＳＩＤを含む接続設定情報を削除するときの動作について説明する。
【００３４】
図７は、接続管理部１１２が旧設定ＳＳＩＤを削除する場合の動作を示すフローチャートである。
【００３５】
接続管理部１１２は、無線ＬＡＮアクセスポイント１００の旧設定ＳＳＩＤに帰属中の無線ＬＡＮ子機から切断要求があったか否かを確認する（ステップＳ７０１）。無線ＬＡＮ子機から切断要求があった場合は（ステップＳ７０１のＹｅｓ）、接続管理部１１２は、切断要求を行った無線ＬＡＮ子機が旧設定ＳＳＩＤから離脱した後に（ステップＳ７０２）、旧設定ＳＳＩＤに帰属中の無線ＬＡＮ子機の台数をカウントし、旧設定ＳＳＩＤに帰属中の無線ＬＡＮ子機が他に存在するか否かを確認する（ステップＳ７０３）。
【００３６】
ステップＳ７０３において、旧設定ＳＳＩＤに帰属中の無線ＬＡＮ子機が他に存在しないことを確認した場合は（ステップＳ７０３のＹｅｓ）、旧設定ＳＳＩＤを含む接続設定情報を接続設定登録部１１１から削除する（ステップＳ７０４）。また、旧設定ＳＳＩＤに帰属中の無線ＬＡＮ子機が1台でもあった場合は（ステップＳ７０３のＮｏ）、旧設定ＳＳＩＤを含む接続設定情報を削除せずに、旧設定ＳＳＩＤと新設定ＳＳＩＤを継続して同時動作させる。
【００３７】
以上に説明したように、本実施形態によれば、無線ＬＡＮアクセスポイント１００の設定変更時に、旧設定ＳＳＩＤに帰属中の無線ＬＡＮ子機があった場合でも、旧設定ＳＳＩＤに帰属中の無線ＬＡＮ子機の通信を維持させながら、新設定ＳＳＩＤに他の無線ＬＡＮ子機を帰属させることができる。
【００３８】
なお、本実施例では、無線ＬＡＮアクセスポイント１００の管理者が無線ＬＡＮアクセスポイント１００の設定変更要求を行う場合を例にして説明したが、無線ＬＡＮ子機がＷＰＳ機能を使用して無線ＬＡＮアクセスポイント１００のＳＳＩＤを別のＳＳＩＤに変更して接続し直す場合にも適用できる。その場合、無線ＬＡＮアクセスポイント１００は、変更前のＳＳＩＤに帰属している他の無線ＬＡＮ子機の接続を維持したまま、無線ＬＡＮ子機を変更後のＳＳＩＤで接続させることが可能となる。
【００３９】
また、無線ＬＡＮアクセスポイント１００は、ステップＳ５０２における旧設定ＳＳＩＤに帰属している無線ＬＡＮ子機の存否を確認する処理を実行するか否かの設定機能を備えていてもよい。そのような構成によれば、無線ＬＡＮの暗号が解読されてしまった場合などに、ステップＳ５０２の処理を実行しない設定にしておけば、旧設定ＳＳＩＤに帰属中の全ての無線ＬＡＮ子機を強制的に切断させることができる。
【００４０】
また、本実施形態では、ＳＳＩＤを設定変更の対象として説明したが、ＳＳＩＤとともに暗号方式や暗号キーを設定変更の対象に含めることが好ましい。
【００４１】
また、本実施形態では、旧設定ＳＳＩＤと新設定ＳＳＩＤの２つのＳＳＩＤが同時動作する場合を例にして説明したが、無線ＬＡＮアクセスポイント１００に設定されるＳＳＩＤは２つに限定されず、いくつあってもよい。
【００４２】
図８は、本発明による無線ＬＡＮアクセスポイントの主要部を示すブロック図である。図８に示すように、無線伝送路を介して無線端末と接続される無線ＬＡＮアクセスポイントであって、ＳＳＩＤを記憶する記憶手段１１（実施形態では、接続設定登録部１１１で実現される。）と、ＳＳＩＤに基づいて無線端末３０（実施形態では、無線ＬＡＮ子機３００で実現される。）との接続を制御する接続管理手段１２（実施形態では、接続管理部１１２で実現される。）とを備え、接続管理手段１２は、ＳＳＩＤを変更するときに変更前のＳＳＩＤに基づいて接続制御を行った無線端末が存在する場合には、その無線端末との接続を維持することを特徴とする。
【００４３】
上記の実施形態には、以下のような無線ＬＡＮアクセスポイントも開示されている。
【００４４】
接続管理手段１２は、ＳＳＩＤを変更するときに、変更前のＳＳＩＤを記憶手段１１から削除せず、変更前のＳＳＩＤに基づいて接続制御を行った無線端末から切断要求があったときに、変更前のＳＳＩＤを記憶手段１２から削除する無線ＬＡＮアクセスポイント。
【００４５】
接続管理手段１２は、変更前のＳＳＩＤに基づいて接続制御を行った全ての無線端末との接続を切断したときに変更前のＳＳＩＤを記憶手段１１から削除する無線ＬＡＮアクセスポイント。
【００４６】
接続管理手段１２は、ＳＳＩＤを変更した後、変更前のＳＳＩＤが記憶手段１１に記憶されていても、新たに接続要求を行った無線端末との接続を、変更後のＳＳＩＤに基づいて制御する無線ＬＡＮアクセスポイント。
【００４７】
接続管理手段１２は、ＳＳＩＤを変更した後、変更前のＳＳＩＤに基づく新たな接続要求を拒否する無線ＬＡＮアクセスポイント。
【符号の説明】
【００４８】
１０、１００  無線ＬＡＮアクセスポイント
１１  記憶部
１２  接続管理手段
３０  無線端末
１１０  無線ＬＡＮインタフェース
１１１  接続設定登録部
１１２  接続管理部
２００  通信ネットワーク
３００、３０１  無線ＬＡＮ子機
４０１、４０２  接続設定情報
【図１】
0005327896.tif 000002
【図２】
0005327896.tif 000003
【図３】
0005327896.tif 000004
【図４】
0005327896.tif 000005
【図５】
0005327896.tif 000006
【図６】
0005327896.tif 000007
【図７】
0005327896.tif 000008
【図８】
0005327896.tif 000009